(57)【要約】      （修正有）【課題】吸収体の吸収性能を低下させることなく、レッグ開口縁部のフィット性を実現することのできる吸収性物品を提供する。【解決手段】吸収性物品１０において、ウエストベルト１７のウエスト開口に沿う領域には、横方向へ延びるウエスト弾性体３３が配置されており、前記本体のレッグ開口に沿う領域には、縦方向へ直線状に延びるレッグ弾性体２６が配置されている。前記ウエスト弾性体３３の配置されたウエスト弾性域４１の単位面積当たりの伸長応力が、レッグ弾性体２６が配置されたレッグ弾性域４０の単位面積当たりの伸長応力よりも高くなっている。【選択図】図１
0003206404.tif 000002
【実用新案登録請求の範囲】
【請求項１】
縦方向及び横方向と、前記横方向の寸法を２等分する縦中心線とを有し、前ウエスト域と、後ウエスト域と、前記前後ウエスト域間に位置するクロッチ域と、吸収体を有する本体と、前記前後ウエスト域を連結するための一対のウエストベルトと、ウエスト開口と、一対のレッグ開口とを備える吸収性物品において、
前記一対のウエストベルトは、前記前後ウエスト域において、前記レッグ開口側から前記ウエスト開口側へ向かって前記縦中心線に近づく接合ラインを介して前記本体に接合されており、
前記ウエストベルトの前記ウエスト開口に沿う領域には、前記横方向へ延びるウエスト弾性体が配置されており、
前記本体の前記レッグ開口に沿う領域には、前記縦方向へ直線状に延びるレッグ弾性体が配置されており、
前記ウエスト弾性体の配置されたウエスト弾性域の単位面積当たりの伸長応力が、前記レッグ弾性体が配置されたレッグ弾性域の単位面積当たりの伸長応力よりも高いことを特徴とする吸収性物品。
【請求項２】
前記吸収体は、前記縦方向における前後端部を有し、前記前後端部のうちの少なくとも一方端部が曲線状である請求項１に記載の吸収性物品。
【請求項３】
前記吸収体は、前記縦方向へ直線状に延びる両側縁を有する請求項１又は２に記載の吸収性物品。
【請求項４】
前記吸収体の一方端部は、前記横方向において前記ウエストベルト間に位置している請求項２に記載の吸収性物品。
【請求項５】
前記レッグ弾性体は、前記吸収体と前記横方向において離間している請求項１〜４のいずれかに記載の吸収性物品。
【考案の詳細な説明】
【技術分野】
【０００１】
この考案は、使い捨ておむつ等の吸収性物品に関する。
【背景技術】
【０００２】
従来、前後ウエスト域と、前後ウエスト域間に位置するクロッチ域とを有し、吸収体を有するおむつ本体と、前後ウエスト域を連結するための一対のウエストベルトと、ウエスト開口と一対のレッグ開口とを備える使い捨ておむつは公知である。例えば、特許文献１に開示された使い捨ておむつでは、一対のウエストベルトが、レッグ開口側からウエスト開口側に向かって縦中心線に近づく接合ラインを介しておむつ本体に接合されており、おむつ本体に対して、一対のウエストベルトが、縦方向の寸法を２等分する縦中心線と、横方向の寸法を２等分する横中心線とに関して対称に配置されている。
【先行技術文献】
【特許文献】
【０００３】
【特許文献１】特開平９−２９０００３号公報
【考案の概要】
【考案が解決しようとする課題】
【０００４】
特許文献１に記載のおむつでは、ウエストベルトに配置されたウエスト弾性体によってウエスト開口に沿う領域に弾性伸縮性が付与されるとともに、吸収体の両側で縦方向へ延びる複数条のレッグ弾性体によって、レッグ開口縁部に沿う領域に弾性伸縮性が付与されることによって、該領域には仮想の弾性帯が形成されて、着用者の大腿部にフィットされる。
【０００５】
特許文献１に記載のおむつにおいて、例えば、レッグ弾性体の収縮力が比較的に高い場合には、その収縮作用で吸収体に皺が寄って吸収性能が低下するおそれがある。一方、ウエスト弾性体の収縮力が比較的に低い場合には、ウエストベルトがずり下がって、着用者の大転子と骨盤内に食い込むようにして安定的に着用することができない。特に、おむつが股上の浅いローライズタイプの場合には、かかるずり下がりが生じやすく、ウエスト開口に沿う領域には、所要のホールド力を発揮することが求められる。
【０００６】
そこで、本考案の目的は、従来の技術の改良であって、吸収体の吸収性能を低下させることなく、レッグ開口に沿う領域のフィット性を実現することのできる吸収性物品の提供にある。
【課題を解決するための手段】
【０００７】
上記課題を達成するために、本考案は、縦方向及び横方向と、前記横方向の寸法を２等分する縦中心線とを有し、前ウエスト域と、後ウエスト域と、前記前後ウエスト域間に位置するクロッチ域と、吸収体を有する本体と、前記前後ウエスト域を連結するための一対のウエストベルトと、ウエスト開口と、一対のレッグ開口とを備える吸収性物品を対象とする。
【０００８】
本考案に係る吸収性物品は、前記一対のウエストベルトは、前記前後ウエスト域において、前記レッグ開口側から前記ウエスト開口側へ向かって前記縦中心線に近づく接合ラインを介して前記本体に接合されており、前記ウエストベルトの前記レッグ開口に沿う領域には、前記横方向へ延びるウエスト弾性体が配置されており、前記ウエストベルトの前記ウエスト開口縁には、前記横方向へ延びるウエスト弾性体が配置されており、前記本体の前記レッグ開口に沿う領域には、前記縦方向へ直線状に延びるレッグ弾性体が配置されており、前記ウエスト弾性体の配置されたウエスト弾性域の単位面積当たりの伸長応力が、前記レッグ弾性体が配置された下方レッグ弾性域の単位面積当たりの伸長応力よりも高いことを特徴とする。
【０００９】
前記吸収体は、前記縦方向における前後端部を有し、前記前後端部のうちの少なくとも一方端部が曲線状であることから、ウエストベルトがウエスト周り方向へ伸長されたときに、吸収体の一方端部を引っ張ろうとする力が分散されて、一方端部に局所的に力が作用することによって生じる皺が形成されるのを抑制することができる。
【００１０】
前記吸収体は、前記縦方向へ直線状に延びる両側縁を有することから、吸収体の両側縁近傍には均一な皺が形成されて、下着らしい外観を呈することができる。
【００１１】
前記吸収体の一方端部は、前記横方向において前記ウエストベルト間に位置していることから、着用時において、一方端部がウエスト周り方向へ拡げられた状態で着用者の身体に当接させることができる。
【００１２】
前記レッグ弾性体は、前記吸収体と前記横方向において離間していることから、レッグ弾性体の収縮作用によって吸収体にその吸収性能が低下するような皺が発生するのを抑制することができる。
【考案の効果】
【００１３】
本考案に係る吸収性物品によれば、ウエスト開口に沿う、ウエスト弾性体が位置するウエスト弾性域の単位面積当たりの伸長応力が、レッグ開口に沿う、レッグ弾性体が配置されたレッグ弾性域の単位面積当たりの伸長応力よりも高いことから、着用中におけるウエストベルトのずり下がりが抑制されるとともに、レッグ弾性体の収縮作用によって吸収体にその吸収性能を低下するような皺を形成させることはない。
【図面の簡単な説明】
【００１４】
図面は、本考案に係る吸収性物品の特定の実施の形態を示し、考案の不可欠な構成ばかりでなく、選択的及び好ましい実施の形態を含む。
【図１】本考案に係る吸収性物品の一例として示す、使い捨ておむつの斜視図。
【図２】おむつを縦方向及び横方向に伸長させて、ウエストベルトの内面とおむつ本体の内面とを当接させた状態における平面図。
【図３】各弾性体の最大伸長時（弾性材料の収縮作用による皺がなくなる程度）までおむつ本体とウエストベルトとを縦方向と横方向とに伸長した状態における展開平面図。
【図４】図２のＩＶ−ＩＶ線に沿う断面図。
【図５】（ａ）図３に示す態様において、ウエストベルトを仮想線で示した、ウエストベルトを接合ラインを介して横方向の外側へ開いた状態における後ウエスト域の拡大図。（ｂ）図３に示す態様において、ウエストベルトを仮想線で示した、ウエストベルトを接合ラインを介して横方向の外側へ開いた状態における前ウエスト域の拡大図。
【図６】縦方向の寸法を２等分する横中心線に沿って折曲して前後ウエスト域の内面どうしを互いに当接させ、かつ、収縮した状態におけるおむつの平面図。
【考案を実施するための形態】
【００１５】
下記の各実施の形態は、本考案の一例である図１〜図６に示す使い捨ておむつ１０に関し、考案の不可欠な構成ばかりではなく、選択的及び好ましい構成を含む。図２〜図４において、後述する各弾性体は、その収縮力に抗して、横方向Ｘ及び縦方向Ｙへの収縮力により、各弾性体が取り付けられた部材に生じた皺が自然な視覚によって実質的に無くなっているように見える程度にまで伸長された状態にある。また、おむつ１０のうちの前後接合ライン１８Ａ，１８Ｂの下方に位置する部分において、おむつ本体１６とウエストベルト１７との非分離部分６８が位置しているが、説明の便宜上、図３，図５，図６においては、非分離部分６８を分離している。
【００１６】
図１〜図３を参照すると、おむつ１０は、縦方向Ｙ及びそれに直交する横方向Ｘと、肌対向面及びその反対側の非肌対向面と、横方向Ｘの長さ寸法を２等分する縦中心線Ｐと、縦方向Ｙの長さ寸法を２等分する横中心線Ｑとを有し、前ウエスト域１１と、後ウエスト域１２と、前ウエスト域１１および後ウエスト域１２の間に位置するクロッチ域１３とを含む。おむつ１０は縦中心線Ｐに関してほぼ対称であって、ウエスト開口１４と一対のレッグ開口１５とを有する。
【００１７】
おむつ１０は、吸収体２３を有し縦方向Ｙに延びるおむつ本体（本体）１６と、前後ウエスト域１１，１２を連結するための一対のウエストベルト１７とを含む。一対のウエストベルト１７は、縦中心線Ｐに関してほぼ対称に配置されており、レッグ開口１５側からウエスト開口１４側へ向かって縦中心線Ｐに近づく、複数の独立したシール部から形成された前後接合ライン（シールライン）１８Ａ，１８Ｂを介しておむつ本体１６に接合される。シール部は、公知の接合手段、例えば、熱エンボス加工、ソニック加工等の各種の熱溶着手段によって施されている。
【００１８】
ウエストベルト１７は、前後接合ライン１８Ａ，１８Ｂにおいて、その肌対向面とおむつ本体１６の肌対向面が互いに固定されている。かかる接合態様を有することによって、前後接合ライン１８Ａ，１８Ｂが着用者の身体に触れて違和感や刺激を与えることはない。後記の本実施形態の効果を奏する限りにおいて、前後接合ライン１８Ａ，１８Ｂには、熱溶着手段のほかに、ホットメルト接着剤などの公知の接合手段を用いることもできる。本明細書において、ウエストベルト１７の長さ方向とは、図３に示すおむつ１０の態様における横方向Ｘに沿う方向、ウエストベルト１７の幅方向とは、図３のおむつ１０の態様における縦方向に沿う方向をいう。
【００１９】
＜おむつ本体＞
図３〜図５を参照すると、おむつ本体１６は、縦方向Ｙにおいて離間対向する前端縁１６ａ及び後端縁１６ｂと、横方向Ｘにおいて離間対向するレッグ開口縁１６ｃ，１６ｄとによって画定されており、前端縁１６ａ間に位置する前端部２０Ａと、後端縁１６ｂ間に位置する後端部２０Ｂと、前後端部２０Ａ，２０Ｂの間に位置する中間部２０Ｃとを有する。前後端縁１６ａ，１６ｂは、それぞれ、縦方向Ｙの外側へ向かって凸状に延びている。前後端部２０Ａ，２０Ｂは、それぞれ、おむつ１０の前後ウエスト域１１，１２に位置し、中間部２０Ｃはクロッチ域１３に位置する。
【００２０】
おむつ本体１６は、肌対向面に位置する透液性の内層シート２１と、非肌対向面に位置する不透液性の外層シート２２と、内外層シート２１，２２の間に位置する吸収体２３と、吸収体２３と外層シート２２との間に位置する難透液性又は不透液性の防漏シート２４とを含む。内外層シート２１，２２の両側には、それらに介在された状態で、横方向Ｘに互いに離間し縦方向Ｙへ延びる一対のサイドシート２５が配置されている。
【００２１】
内層シート２１は、略八角形状をなし、質量が約１５〜３５ｇ／ｍ２、好ましくは約１８〜２４ｇ／ｍ２の親水処理した疎水性のエアスルー繊維不織布、スパンボンド繊維不織布、ポイントボンド繊維不織布等から形成されていることが好ましい。外層シート２２は、内層シート２１とほぼ同形同大であって、質量が約１５〜３０ｇ／ｍ２、好ましくは約１８〜２４ｇ／ｍ２の疎水性のスパンボンド・メルトブローン・スパンボンド（以下ＳＭＳとする）繊維不織布またはスパンボンド繊維不織布から形成されていることが好ましい。
【００２２】
前後ウエスト域１１，１２において、おむつ本体１６の内層シート２１の肌対向面側には、繊維不織布製の補強シート６５，６６が配置されている。補強シート６５，６６は、前後接合ライン１８Ａ，１８Ｂと重なって位置しており、補強シート６５，６６が配置されることによって、前後接合ライン１８Ａ，１８Ｂにおける剥離強度が向上するとともに、おむつ本体１６の前後端部の剛性が向上し、着用中におけるヨレを防止することができる。
【００２３】
吸収体２３は、縦方向Ｙの外側へ凸曲した前後端縁２３ａ，２３ｂと、前後端縁間に縦方向Ｙへ延びる両側縁２３ｃとを有し、所要の形状に賦型された吸液性コアと、吸液性コアを覆うティッシュペーパ等の液拡散性のコアカバーシートとを含む。吸液性コアとしては、木材フラッフパルプ、高吸収性ポリマー粒子、またはこれらの混合物を用いることができる。吸液性コアとコアカバーシートとは、ホットメルト接着剤等の公知の接合手段を用いて互いに接合することができる。
【００２４】
防漏シート２４は、吸収体２３と外層シート２２との間において、ホットメルト接着剤等の公知の接合手段によって接合することができる。防漏シート２４としては、例えば、難透液性、好ましくは、不透液性かつ通気性のプラスチックフィルムを用いることができ、防漏シート２４が吸収体２３の非肌対向面の全体を覆うことによって、吸収体２３で吸収された体液がおむつ１０の外側に漏れるのを防止することができる。図示していないが、防漏シート２４に絵柄や色彩等の装飾要素を有するシート（イラストシート）を用いて、所要の光線透過率を有する外層シート２２から装飾要素を透過させることもできる。
【００２５】
図４を参照すると、一対のサイドシート２５は、吸収体２３の横方向Ｘの両側に配置されており、防漏シート２４と内層シート２１との間において、ホットメルト接着剤等の公知の接合手段によって接合されている。サイドシート２５は、吸収体２３側に位置する第１シート２５Ａと外層シート２２側に位置する第２シート２５Ｂとから形成され、両シート２５Ａ，２５Ｂはホットメルト接着剤等の公知の手段によって接合されている。サイドシート２５としては、例えば、質量が約１０〜３０ｇ／ｍ２の疎水性のＳＭＳ繊維不織布またはスパンボンド繊維不織布を用いることができる。
【００２６】
おむつ本体１６は、レッグ開口縁１６ｃ，１６ｄに沿う領域（レッグ開口縁部）に弾性を付与するレッグ弾性体２６を有する。レッグ弾性体２６は、おむつ本体１６の前端縁１６ａから後端縁１６ｂまでの間において縦方向Ｙへ伸長状態で収縮可能に取り付けられた複数条のストリング状またはストランド状の弾性材料から形成される。レッグ弾性体２６が配置されることによって、吸収体２３の両側縁２３ｃの横方向Ｘの外側部分には、レッグ弾性域４０が形成される。レッグ弾性域４０は、前ウエスト域１１に位置する前接合ライン１８Ａから後ウエスト域１２に位置する後接合ライン１８Ｂまで延びている。本実施形態において、サイドシート２５は２つのシート２５Ａ，２５Ｂから形成されているが、一枚の繊維不織布を折り曲げて固定することによって形成してもよいし、外層シート２２の延出部分から形成してもよい。なお、本明細書において、レッグ開口縁１６ｃ，１６ｄに沿う領域とは、レッグ弾性体２６が配置された部分を占めるものであって、レッグ開口縁１６ｃ，１６ｄから横方向Ｘへ所与寸法延在する領域を意味する。
【００２７】
レッグ弾性体２６は、太さ４５０〜５００ｄｔｅｘの弾性材料であって、１．５〜２．０倍に伸長された状態で固定されている。なお、本実施形態において、レッグ弾性体２６は、ストリング状又はストランド状の弾性材料から形成されているが、後記の本考案の技術的効果を奏する限りにおいて、弾性繊維不織布製の弾性シートから形成されていてもよい。また、レッグ弾性体２６として、ストリング状又はストランド状の弾性材料と弾性繊維不織布とを併用してよい。弾性繊維不織布を併用する場合には、面状にフィットされるので、皺を均一に形成することができる。また、ストリング状又はストランド状の弾性材料の伸長倍率を弾性繊維不織布の伸長倍率よりも低く設定する場合には、該弾性材料の収縮によって弾性繊維不織布による均一の皺の形成を阻害するおそれはない。
【００２８】
＜ウエストベルト＞
図２及び３を参照すると、ウエストベルト１７は、前後接合ライン１８Ａ，１８Ｂを介しておむつ本体１６に接合された両端縁（前後端縁）１７ａ，１７ｂと、おむつ本体１６のレッグ開口縁１６ｃ，１６ｄとともにレッグ開口１５を形成する下側縁１７ｃと、ウエスト開口縁を形成する上側縁１７ｄとを有する。
【００２９】
ウエストベルト１７は、繊維不織布製のウエストシート３０から形成された内外層３１，３２を有する。内外層３１，３２の間には、ストリング状又はストランド状の弾性材料から形成された複数条のウエスト弾性体３３，３４が伸長状態で収縮可能に取り付けられている。ウエスト弾性体３３，３４は、ウエストベルト１７の上方部分に配置された上方ウエスト弾性体３３と、下方部分に配置された下方ウエスト弾性体３４とを有する。
【００３０】
ウエストシート３０は、上側縁１７ｄ側において、その一部が内側へ折り曲げられた状態で固定されている。かかる折曲部分３６には、複数の上方ウエスト弾性体３３が配置されている。また、折曲部分３６に配置された上方ウエスト弾性体３３と、ウエストシート３０のうちの折曲部分３６以外の部分（主体部）に配置された上方ウエスト弾性体３３とは、それぞれ厚さ方向Ｚにおいてずれていることが好ましい。これにより、上方ウエスト弾性体３３が厚さ方向Ｚにおいて重なり合うことによる伸長応力の集中を避け、広い範囲で身体へのフィット性を実現することができる。さらに、ウエスト開口縁に折曲部分３６が位置することによって、光線透過率が局所的に低くなり、より下着らしい外観を呈する。なお、本実施形態においては、ウエスト開口縁に折曲部分３６が配置されているが、後記の本願考案の効果を奏する限りにおいて、ウエストシートが折り曲げられていなくてもよく、その場合には、ウエスト開口１４に沿って延び、かつ、縦方向Ｙへ所与寸法延在する領域に上方ウエスト弾性体３３が配置されることによって、上方ウエスト弾性域４１が形成される。
【００３１】
図４を参照すると、ウエストベルト１７の上方部分とは、ウエスト開口１４側に位置する、ウエストベルト１７の幅方向の寸法Ｗ１の４０〜６０％の幅寸法を有する部分を意味し、下方部分とは、レッグ開口１５に位置する、寸法Ｗ１の４０〜６０％の幅寸法を有する部分を意味する。ウエストベルト１７の上方部分のうちの前記折曲部分３６の配置された部分には、上方ウエスト弾性体３３の収縮作用によって弾性伸縮可能な上方ウエスト弾性域４１が位置する。また、ウエストベルト１７の下方部分には、レッグ開口１５側に位置する下方ウエスト弾性体３５の収縮作用によって弾性伸縮可能な下方ウエスト弾性域４２が位置する。上方ウエスト弾性域４１は、ウエストベルト１７の幅方向の寸法Ｗ１の１０〜３０％の幅寸法を有し、下方ウエスト弾性域４２は、寸法Ｗ１の５〜２０％の大きさを有する。おむつ１０の着用状態において、下方ウエスト弾性域４２は、レッグ弾性域４０とともに、着用者の大腿部を囲堯する仮想の弾性帯を形成する。
【００３２】
本実施形態においては、上方ウエスト弾性体３３（折曲部分３６に配置された弾性体を含む）は、太さ４５０〜５００ｄｔｅｘであって、３．０〜３．５倍に伸長された状態で固定されている。また、上方ウエスト弾性体３３のうちのレッグ開口側に配置された弾性体は、太さ６００〜６５０ｄｔｅｘであって、２．５〜３．０倍に伸長された状態で固定されている。ウエストベルト１７の下方部分に配置された下方ウエスト弾性体３４は、太さ６００〜６５０ｄｔｅｘであって、２．５〜３．０倍に伸長された状態で固定されている。上方ウエスト弾性体３３と下方ウエスト弾性体３４とにおける各弾性体間のピッチ（離間寸法）は等間隔であって、５．０〜６．０ｍｍである。
【００３３】
図３〜図５を参照すると、おむつ本体１６のレッグ開口縁１６ｃ，１６ｄは、それぞれ、クロッチ域の中央部から前ウエスト域へ向かって次第に横方向Ｘの内側へ凸曲する前レッグ開口縁１９ａと、クロッチ域の中央部から後ウエスト域１２へ向かって次第に横方向Ｘの外側へ凸曲する後レッグ開口縁１９ｂとを有する。レッグ開口縁１６ｃ，１６ｄがかかる形状を有することから、クロッチ域１３の後側部分１３Ｂは、前側部分１３Ａに比べて幅広となっている。したがって、着用したときに、クロッチ域１３の後ウエスト域１２側に位置する後側部分１３Ｂで着用者の臀部を広く覆うことができる一方、クロッチ域１３の前ウエスト域１１側に位置する前側部分１３Ａで着用者の鼠蹊部に沿って、大腿部の動きを阻害しないようにフィットさせることができる。
【００３４】
おむつ１０のウエストベルト１７は、比較的に幅狭であって、着用者の大転子と骨盤内とにおける凹部にウエストベルト１７を食い込ませるように配置することによって、必要最低限度の面積でおむつ１０を着用者の腰回りに保持させることができる。このとき、ウエストベルト１７が吸収体２３と重なっていないことから、ウエストベルト１７が弾性的に伸長されて所要のホールド力を発揮した状態にあっても、吸収体２３にその収縮作用による皺が形成されることはない。したがって、防漏シート２４が意匠要素（イラスト）を有するイラストシートである場合には、意匠要素の形状が変化して視認性が低下するのを抑制することができる。
【００３５】
また、上方ウエスト弾性体３３が配置された上方ウエスト弾性域４１の単位面積当たりの伸長応力が、レッグ弾性体２６が配置されたレッグ弾性域４０の単位面積当たりの伸長応力よりも高くなっている。したがって、レッグ弾性域４０は相対的に伸長応力が低く設定されており、吸収体２３がレッグ弾性体２６の収縮作用によって、縦方向Ｙへ縮んでしまうことはない。また、吸収体２３に、ウエスト周り方向（横方向）及び縦方向Ｙへそれを縮めて皺を形成しようとする力が作用するのを抑制することができるので、吸収体２３が平面形状を維持して、吸収体２３がごわついた外観を呈することによる、いわゆる「おむつらしい見た目」や印象を与えるのを抑制することができる。このように、吸収体２３の変形を抑えることによって、ごわごわとしたおむつらしい外観となるのを抑制し、下着らしい外観と着用感を実現することができる。
【００３６】
一方、上方ウエスト弾性域４１の単位面積当たりの伸長応力が相対的に高いことから、ウエストベルト１７が所要のホールド力を発揮して、ウエスト開口１４側において安定的に着用者の胴回りに保持される。本実施形態においては、上方ウエスト弾性体３３が折曲部分３６において、厚さ方向Ｚにおいて重ならないように配置されていることによって、折曲部分３６の位置する上方ウエスト弾性域４１が前後ウエスト域１１，１２の他の領域に比べて伸長応力が高くなっているが、レッグ弾性域４０に対して相対的に伸長応力が高くなっている限りにおいて、ウエストベルト１７がウエストシートを折り曲げて形成された折曲部分３６を有しておらず、上方ウエスト弾性域４１に折曲部分３６が配置されていなくてもよい。かかる場合には、上方ウエスト弾性域４１の単位面積当たりの伸長応力をレッグ弾性域４０の単位面積当たりの伸長応力よりも高くなるように、上方ウエスト弾性体３３及びレッグ弾性体２６の繊度、ピッチを適宜調整する必要がある。
【００３７】
さらに、下方ウエスト弾性域４２の単位面積当たりの伸長応力がレッグ弾性域４０の単位面積当たりの伸長応力よりも高くなっている。下方ウエスト弾性域４２の伸長応力がレッグ弾性域４０のそれよりも高いことによって、着用したときに、下方ウエスト弾性域４２がレッグ弾性域４０に引っ張られて、ウエストベルト１７がずり下がることはない。
【００３８】
各弾性域４０−４２の単位面積当たりの伸長応力の相関関係についていえば、上方ウエスト弾性域４１≧下方ウエスト弾性域４２＞レッグ弾性域４０となっている。
【００３９】
＜各弾性域の伸長応力＞
具体的には、上方ウエスト弾性域４１の最大伸長時の８０％における伸長応力が約２．０〜３．０Ｎ／２５ｍｍであり、下方ウエスト弾性域４２の最大伸長時の８０％における伸長応力が１．５〜２．０Ｎ／２５ｍｍ、レッグ弾性域４０の最大伸長時の８０％における伸長応力が約０．７〜１．２Ｎ／２５ｍｍである。
【００４０】
＜各弾性域の伸長応力の測定方法＞
各弾性域の伸長応力の測定には、この種の分野において通常使用される引張試験機（島津製作所）を使用した。測定の事前準備として、まず、おむつ１０の前後接合ライン１８Ａ，１８Ｂの下端をハサミでカットして連結を解除し、おむつ本体１６と一対のウエストベルト１７とに分離した。次に、おむつ本体１６のうちの吸収体２３の両側に位置する、レッグ弾性体２６の収縮力の作用するレッグ弾性域４０をレッグ開口縁から横方向Ｘの内側へ２０ｍｍ（幅寸法２０ｍｍ）、長さ寸法（縦方向Ｙの寸法）１２０ｍｍの大きさに切り取ってサンプル１とした。同様に、一方のウエストベルト１７のうちの上方ウエスト弾性体３３の収縮力の作用する上方ウエスト弾性域４１と、下方ウエスト弾性体３４の収縮力の作用する下方ウエスト弾性域４２とをウエスト開口縁から縦方向Ｙの内側へ２５ｍｍ（幅寸法２５ｍｍ）、長さ寸法（横方向Ｘの寸法）１２０ｍｍの大きさに切り取って、それぞれ、サンプル２、３とした。
【００４１】
サンプル１−３の収縮状態において、その長さ方向における両端部を引張試験機のチャックにそれぞれ固定し、チャック間距離４０ｍｍ、引張速度２００ｍｍ／ｍｉｎの条件下において、各サンプルを伸長させて最大伸長時（弾性材料による収縮作用による皺がなくなり、サンプルが破断しない程度まで伸長した状態）の８０％の長さにおける荷重（Ｎ）を測定し、測定値（Ｎ）÷領域幅（ｍｍ）の式により、各サンプルの伸長応力を算出した。かかる測定は５回行い、平均の値をそれぞれ求めて、各サンプルの幅寸法を２５ｍｍに換算した値を各弾性域の伸長応力（Ｎ／２５ｍ）とした。
【００４２】
レッグ弾性体２６は、吸収体２３の横方向Ｘの外側において離間して位置していることによって、レッグ開口縁部が湾曲してカップ状を呈し、排泄物の漏れを防止する障壁が形成されるので、吸収体２３による排泄物の吸収に時間を要する場合であっても、排泄物が横漏れを防ぐことができる。特に、おむつ１０を大人用の軽失禁パンツとして使用する場合には、排泄物の量が比較的に少量であるので、レッグ弾性域４０の伸長応力が比較的に低くても、かかる障壁によって十分に横漏れを抑制することができる。
【００４３】
レッグ弾性体２６は、全体として縦方向Ｙへ直線状に延びていることが好ましい。ストリング状又はストランド状のレッグ弾性体２６の全体又はその一部が、レッグ開口縁１６ｃ，１６ｄに沿う湾曲した曲線状を有する場合には、その製造工程上、湾曲した部分の収縮力が直線状の部分に比べて低下することから、直線状の部分と湾曲状の部分との収縮力の差によって隙間が形成されるとともに、該部分には互いに異なる形状の皺が形成される。そのために、レッグ開口縁部に隙間が生じて排泄物の横漏れを生じるおそれがあるとともに、外面に規則的な小さな皺が形成された、下着のような外観を呈することができない。本実施形態においては、複数条のレッグ弾性体２６が縦方向Ｙへ直線状に延びていることによって、全体として収縮力が均一であって、縦方向Ｙへ延びる障壁が形成されて排泄物の横漏れが効果的に防止される。また、レッグ弾性域４０には、規則的な大きさの皺が形成され、下着のような外観を呈することができる。
【００４４】
図２及び図５（ａ），（ｂ）を参照すると、吸収体２３の前後端部５１，５２は、前後ウエスト域１１，１２においてウエストベルト１７の前後接合ライン１８Ａ，１８Ｂ間に位置している。したがって、ウエストベルト１７をウエスト周り方向へ弾性的に伸長したときに、吸収体２３の前後端部５１，５２には、ウエスト周り方向における相反する向きにそれを引っ張ろうとする力が作用するので、吸収体２３をウエスト周り方向へ拡げた態様で着用者の身体に当接させることができる。
【００４５】
また、吸収体２３の前後端部５１，５２は、曲線状を有している。ウエストベルト１７間に、シート部材に比して比較的に剛性の高い、パネル状を有する吸収体２３の前後端部５１，５２が位置することによって、ウエストベルト１７がウエスト周りに弾性的に伸長され難くなるおそれがあるが、吸収体２３の前後端部５１，５２が曲線状を有することによって、吸収体２３の前後端縁２３ａ，２３ｂに作用する力がほぼ均等に分散されて、ウエストベルト１７の弾性伸長力が阻害されるのを抑制することができる。また、吸収体２３の前後端部５１，５２の周辺にそれに作用する力が均等に分散されることによって、吸収体２３の存在域と非存在域との間における剛性差によって生じる、比較的に大きな皺が発生するのを抑制することができる。なお、本実施形態においては、吸収体２３の前後端部５１，５２が曲線状であって、それぞれ、前後ウエスト域１１，１２において前後接合ライン１８Ａ，１８Ｂ間に位置しているが、一方端部のみが曲線状であって、他方端部が矩形状であってもよいし、一方端部が前後接合ライン１８Ａ，１８Ｂ間に位置していなくてもよい。
【００４６】
図５（ａ）を参照すると、ウエストベルト１７は、下側縁１７ｃ側がレッグ開口縁側、上側縁１７ｄ側がウエスト開口縁側となるように前後接合ライン１８Ａ，１８Ｂを介しておむつ本体１６の前後端部２０Ａ，２０Ｂに伸長状態で収縮可能に接合される。本実施形態において、後接合ライン１８Ｂの内側縁を形成するウエストベルト１７とおむつ本体１６との境界ライン６０とウエスト開口縁との交点６１におけるウエスト開口縁と直交する（縦中心線Ｐと並行に延びる）仮想線６２と境界ラインとの交角である交角θ１は、前接合ライン１８Ａの内側縁を形成する境界ラインとウエスト開口縁との交点６３におけるウエスト開口縁と直交する仮想線６４と境界ラインとの交角θ２と異なる。交角θ２は交角θ１よりも大きいことが好ましく、このように前後ウエスト域１１，１２において交角の値が異なることで、着用時においておむつ１０の前側（腹側）と後側（背側）とを容易に識別することができる。
【００４７】
交角θ２は、約２０〜７０度の範囲であることが好ましく、約３０〜６０度の範囲であることがより好ましい。交角θ２が２０度未満の場合、おむつ１０の装着時においてウエストベルト１７がフィットする位置まで前ウエスト域１１を引き上げた際に、おむつ本体１６が上方に引き上がり過ぎて、着用者の鼠蹊部周辺においておむつ本体１６のダブつきが生じ、隙間なくフィットさせることができないおそれがある。また、交角θ２が７０度超えの場合、吸収体２３を十分に上方に引き上げることができず、着用者の鼠蹊部とおむつ本体１６の間に隙間が生じてしまうおそれがある。
【００４８】
交角θ１は、約１０〜６０度の範囲であることが好ましく、約２０〜５０度の範囲であることがより好ましい。交角θ１が１０度未満の場合、おむつ１０の装着時においてウエストベルト１７がフィットする位置まで後ウエスト域１２を引き上げた際に、おむつ本体１６が上方に引き上がり過ぎて、着用者の仙骨部周辺においておむつ本体１６のダブつきが生じ、隙間なくフィットさせることができないおそれがある。交角θ１が６０度超えの場合、吸収体２３を十分に上方に引き上げることができず、着用者の臀部上方に位置する仙骨部周辺におむつ本体１６を位置させることができなくなり、臀部において尿を吸収体２３に吸収させることができずに漏れが生じるおそれがある。
【００４９】
再び、図２を参照すると、吸収体２３の縦方向Ｙの寸法Ｌ２は、おむつ１０（おむつ本体１６）の縦方向Ｙの寸法Ｌ１の約６５〜９５％の大きさを有する。通常、おむつの縦方向の寸法に対して吸収体の縦方向Ｙの寸法は約６０％の大きさであって、おむつの吸収体から縦方向Ｙの外側に位置するシート部材のみから形成された部分の面積が比較的に大きくなっている。本実施形態においては、吸収体２３が所要の吸収性能を発揮しうるのに十分な長さ寸法を有する一方、それよりも縦方向Ｙの外側に位置するシート部材のみからなる部分の面積を比較的に小さくすることによって、より少ない資材で製造することができ、製造コストを抑えることができる。また、吸収体２３の前後端縁２３ａ，２３ｂとおむつ本体１６の前後端縁１６ａ，１６ｂとが、通常のおむつに比べて近接しているために、着用状態においてウエスト開口が臍部よりも下に位置するようなローライズですっきりとした着用態様となる。
【００５０】
図６を参照すると、前後接合ライン１８Ａ，１８Ｂの交角θ１，θ２が互いに異なるので、横中心線Ｑに沿って折曲して前後ウエスト域１１，１２の内面どうしを互いに当接させ、かつ、収縮した状態において、前ウエスト域１１の横方向Ｘの中央部と後ウエスト域１２の横方向Ｘの中央部とが互いに重なっていない。本実施形態においては、交角θ１が交角θ２よりも大きいことによって、後ウエスト域１２の中央部が前ウエスト域１１の中央部よりも上方へ突出しており、前後ウエスト域１１，１２の識別がより容易になる。
【００５１】
股上の浅い、ローライズタイプのおむつは、成人の軽失禁用として好まれるが、交角θ１と交角θ２とが等しい場合には、腹側においてウエストベルト１７が着用者の脚の動きを阻害する位置に配置されやすくなり、背側においてウエストベルト１７の端部が着用者の臀部に食い込みやすくなる。すなわち、交角θ１と交角θ２とが互いに等しい場合、例えば、腹側においておむつ本体１６が着用者の鼠蹊部にフィットするように、交角θ１，θ２を設定すると、背側において吸収体２３を十分に身体の上方へ引き上げることができず、おむつ本体１６がダブついて臀部との間に隙間が生じてしまい、排泄物が漏れるおそれがある。
【００５２】
これに対し、本実施形態のおむつ１０では、交角θ１と交角θ２とが互いに異なっているため、腹側においてウエストベルト１７が着用者の脚の動きを阻害することをなくし、背側においてウエストベルト１７の端部が着用者の臀部を覆い、一部が身体に食い込むのを防止することができる。そのため、ローライズタイプのおむつ１０においてフィット性を向上させることができるうえに、ショーツのような下着らしい外観を有することができる。
【００５３】
また、前レッグ開口縁１９ａと後レッグ開口縁１９ｂとが異なる形状を有することから、それらが前後方向において互いに重なっていない。すなわち、前レッグ開口縁１９ａが横方向Ｘの内側へ凸曲状を有する一方、後レッグ開口縁１９ｂが横方向Ｘの外側へ凸曲した形状を有することから、後レッグ開口縁部の一部が前レッグ開口縁部よりも外側へ延出している。おむつ１０がかかる形態を有することによって、前側において、ウエストベルト１７が着用者の大転子と骨盤内に収まるように、すなわち、鼠蹊部に食い込むようにして着用され、おむつ１０が股上の浅いローライズタイプであっても、着用中にずり下がることはない。一方、おむつ１０の後面側では、後レッグ開口縁部が前レッグ開口縁部から横方向Ｘの外側へ延出し、クロッチ域１３の後側部分１３Ｂが、前側部分１３Ａよりも幅広であることによって、臀部が広い範囲で覆われて外部に露出されるのを抑制することができる。
【００５４】
本考案のおむつ１０を構成する各構成部材には、明細書に記載されている材料のほかに、この種の物品において通常用いられている各種公知の材料を制限なく用いることができる。また、明細書及び特許請求の範囲において、「第１」及び「第２」の用語は、同様の要素、位置等を単に区別するために用いられる。
【符号の説明】
【００５５】
１０  吸収性物品（使い捨ておむつ）
１１  前ウエスト域
１２  後ウエスト域
１３  クロッチ域
１４  ウエスト開口
１５  レッグ開口
１６  本体（おむつ本体）
１７  ウエストベルト
１８Ａ，１８Ｂ  前後接合ライン
２３  吸収体
２３ｃ  両側縁
２６  レッグ弾性体
３３  ウエスト弾性体（上方ウエスト弾性体）
３４  ウエスト弾性体（下方ウエスト弾性体）
３５  ウエスト弾性体（下方ウエスト弾性体）
４０  レッグ弾性域
４１  ウエスト弾性域（上方ウエスト弾性域）
４２  ウエスト弾性域（下方ウエスト弾性域）
５１  吸収体の前端部
５２  吸収体の後端部
Ｐ  縦中心線
Ｑ  横中心線
Ｘ    横方向
Ｙ    縦方向
【図１】
0003206404.tif 000003
【図２】
0003206404.tif 000004
【図３】
0003206404.tif 000005
【図４】
0003206404.tif 000006
【図５】
0003206404.tif 000007
【図６】
0003206404.tif 000008